(57)【要約】【課題】交流電源用のコンセントと直流電源用のコンセントが混在して設置される場合、配電盤から各コンセントへの誤接続を容易には確認できなかった。【解決手段】電源から供給される電流を入力し整流する整流器７０から出力される直流電流が入力される入力部２４と、前面に設けられ、接続されるプラグ１５のそれぞれの栓刃１６に嵌合し、入力部の位置に対応した位置に設けられた少なくとも２つの孔１１と、前面に設けられた複数のＬＥＤ１２と、判断部２０と、制御部２１とを備える。判断部２０は、入力部に入力される直流電流が所定の規格に対応しているか否か、および入力される直流電流の電圧値を判断し、制御部２１は、判断部に基づいて、所定の規格に対応しているか否かの結果または所定の規格に対応している場合の電圧値の大きさがわかるように、ＬＥＤの点灯または点滅を制御する。【選択図】図２
2012164567.tif 000002
【特許請求の範囲】
【請求項１】
電源から供給される電流を入力し整流する整流器から出力される直流電流が入力される入力部と、
前面に設けられ、接続されるプラグのそれぞれの栓刃に嵌合し、前記入力部の位置に対応した位置に設けられた、少なくとも２つの孔と、
前記前面に設けられた複数のＬＥＤと、
前記入力部に入力される直流電流が所定の規格に対応しているか否か、および前記入力される直流電流の電圧値を判断する判断部と、
前記判断部に基づいて、前記所定の規格に対応しているか否かの結果または前記所定の規格に対応している場合の前記電圧値の大きさがわかるように、前記ＬＥＤの点灯または点滅を制御する制御部と、を備えた直流給電用コンセント。
【請求項２】
前記所定の規格に対応しているとは、所定期間における前記入力される直流電流の電圧値の変動幅が所定の値以下のことである、請求項１に記載の直流給電用コンセント。
【請求項３】
前記制御部は、前記所定の規格に対応している場合には、前記入力される直流電流の電圧値に対応して、各電圧値に予め対応づけておいた前記ＬＥＤを点灯させ、前記所定の規格に対応していない場合には、少なくともいずれかの前記ＬＥＤを点滅させるように制御する、請求項１または２に記載の直流給電用コンセント。
【請求項４】
前記制御部は、前記所定の規格に対応している場合には、前記入力される直流電流の電圧値に対応して、各電圧値に予め対応づけておいた前記ＬＥＤを赤色以外の色で点灯させ、前記所定の規格に対応していない場合には、少なくともいずれかの前記ＬＥＤを赤色で点灯または点滅させるように制御する、請求項１または２に記載の直流給電用コンセント。
【請求項５】
前記プラグの栓刃が前記孔に嵌合したことを検出する接続検出部を備え、
前記複数のＬＥＤは、複数の前記孔に挟まれるまたは囲まれる領域に配置されており、
前記制御部は、前記接続検出部によって前記プラグの接続が検出されたときには、全ての前記ＬＥＤを消灯させるように制御する、請求項１〜４のいずれかに記載の直流給電用コンセント。
【請求項６】
前記複数のＬＥＤは、複数の前記孔に挟まれるまたは囲まれる領域の外側であって、前記プラグの栓刃が前記孔に嵌合して接続されたときに外部から見える位置に配置されている、請求項１〜４のいずれかに記載の直流給電用コンセント。
【請求項７】
温度を検出する温度検出部と、
前記入力部と前記孔に嵌合した前記栓刃との間の接続を電気的に遮断する接続遮断部とを備え、
前記温度検出部が所定の温度以上になったことを検出したとき、前記制御部は、前記接続遮断部によって前記入力部と前記栓刃との間の接続を遮断させる、請求項１〜６のいずれかに記載の直流給電用コンセント。
【発明の詳細な説明】
【技術分野】
【０００１】
本発明は、直流電流を供給するための直流給電用コンセントに関する。
【背景技術】
【０００２】
最近、省エネ化を図るために、電気製品への電源用電力の供給を、現在一般的な交流電流（ＡＣ）から直流電流（ＤＣ）に変更しようという検討が各国で活発に行なわれている。
【０００３】
図１１に、現在の家庭に供給される電力の流れを示す。
【０００４】
電力会社１０１からは、一般家庭１００に対して、送電線を介して交流電力（ＡＣ）が供給される。その交流電力は、一般家庭１００内の配電盤１０３を介して、壁などに取り付けられるＡＣコンセント１０４に接続される。わが国では、一般家庭用では、ＡＣコンセント１０４から１００Ｖの交流電流が供給されるのが一般的である。
【０００５】
電化製品１０６は、接続されるＡＣケーブルの一端のＡＣプラグ１０５をＡＣコンセント１０４に差し込むことにより、電力が供給される。
【０００６】
最近では、家庭内の電化製品は最終的に直流で動くものがほとんどである。パソコン、テレビ、ステレオなどはもちろんのこと、エアコンや洗濯機なども内部的には直流（ＤＣ）で動いている。また、省エネ化を図るべく、従来の白熱灯や蛍光灯に替わり普及し始めてきたＬＥＤ照明なども直流で動作する。
【０００７】
したがって、図１１に示すように、ほとんどの家庭内の電化製品１０６は、ＡＣプラグ１０５を介して供給される交流を内部で直流に変換して使用している。
【０００８】
また、省エネ化を図るべく、家庭内で発電した電力を使用する動きも高まってきている。家庭内での発電に使用される発電装置として、今後大きく普及していくと考えられる太陽光発電システム１０８や燃料電池１０９などで発電される電力は直流であり、その電力を蓄積しておくリチウム電池などの蓄電池１０７も、直流で蓄電する。
【０００９】
これらの発電装置で発電し蓄電池１０７に蓄電した電気を利用する際は、整流装置１０２で直流から交流に変換されて、配電盤１０３を介してＡＣコンセント１０４から供給される。
【００１０】
このように、電化製品１０６の内部において交流（ＡＣ）から直流（ＤＣ）への変換が行なわれ、また、整流装置１０２において直流（ＤＣ）から交流（ＡＣ）への変換が行なわれている。
【００１１】
これらの、交流から直流への変換、直流から交流への変換を行なう際には、変換によるロスが生じるので、これらの変換が不要になれば、変換によるロスがなくなり消費電力を低減することができる。
【００１２】
現在ＡＣコンセント１０４などで交流で供給している電力を、直流電流で供給するようにすれば、これらの変換は不要となるので、各国において、直流電流で電力を供給する検討が活発に行なわれているのである。
【００１３】
直流電流により電力が供給されるようになった場合でも、当面は、現在供給されている交流電流による供給と併用されることになるため、現在使用されている交流電流を供給するコンセントと、新たに設置される直流電流を供給するコンセントが混在して使用されることになる。
【００１４】
このように交流電源用のコンセントと直流電源用のコンセントが混在して設置される場合に、交流電源用のコンセントに直流電源用のプラグが誤接続されることを防止する構造とした直流電源用のプラグおよびコンセントの構造が提案されている（例えば、特許文献１参照）。
【先行技術文献】
【特許文献】
【００１５】
【特許文献１】特開２００４−０３１０８８号公報
【発明の概要】
【発明が解決しようとする課題】
【００１６】
しかしながら、交流電源用のコンセントと直流電源用のコンセントが混在して設置される場合、配電盤から各コンセントへの接続を誤接続した場合でも、誤接続したことを容易には確認できない、という問題がある。
【００１７】
以下、図１２を用いて、この問題について具体的に説明する。
【００１８】
図１２に、配電盤から各コンセントへの接続を誤接続した場合の状態を説明するための図を示す。
【００１９】
なお、直流給電するための電圧値や端子の形状などは、各国で検討段階であり、わが国においても決まっていないため、図１２に示す電力値や端子の形状などは、あくまで一例として示したものである。ここでは、ＤＣコンセント１１１から４８Ｖの直流電流を供給するものとして説明する。
【００２０】
電化製品１１３は、電源コード先端のＤＣプラグ１１２を壁などに配置されたＤＣコンセント１１１に差し込むことにより、４８Ｖの直流電流が供給される。電化製品１１３は、必要に応じて内部で４８Ｖの電圧を降圧または昇圧して使用するが、交流から直流への変換を行う必要はない。
【００２１】
配電盤１１０には、電力会社などの交流電源から供給される交流電流と、蓄電池などの直流電源から供給される直流電流が入力され、配電盤１１０からの交流出力が交流電源用のコンセントに接続され、配電盤１１０からの直流出力が直流電源用のコンセント（ＤＣコンセント１１１）に接続される。
【００２２】
ここで、配電盤１１０からの交流出力が誤ってＤＣコンセント１１１に接続されていた場合、ＤＣプラグ１１２をＤＣコンセント１１１に差し込むと、電化製品１１３に交流電流が流れてしまい電化製品１１３が壊れてしまう。
【００２３】
そのため、工事業者は、配電盤１１０と各コンセントを接続する際には、それらの接続が誤っていないことを確認する作業を行なうことになるが、配電盤１１０と各コンセントを接続しただけでは一見して誤接続かどうかを認識できず、例えば、コンセント毎に計測器を接続して確認していく必要があり、誤接続の確認に多くの手間と時間がかかってしまう。
【００２４】
また、もし工事業者が誤接続の確認をし損なって図１２のように誤接続された状態になっていた場合には、電化製品１１３を使用する家庭のユーザは、誤接続されていることを知らずにＤＣプラグ１１２をＤＣコンセント１１１に差し込んでしまい、電化製品１１３が壊れてしまう。
【００２５】
本発明は、上記従来の課題を考慮して、配線の誤接続を容易に確認できる直流給電用コンセントを提供することを目的とする。
【課題を解決するための手段】
【００２６】
上述した課題を解決するために、第１の本発明は、
電源から供給される電流を入力し整流する整流器から出力される直流電流が入力される入力部と、
前面に設けられ、接続されるプラグのそれぞれの栓刃に嵌合し、前記入力部の位置に対応した位置に設けられた、少なくとも２つの孔と、
前記前面に設けられた複数のＬＥＤと、
前記入力部に入力される直流電流が所定の規格に対応しているか否か、および前記入力される直流電流の電圧値を判断する判断部と、
前記判断部に基づいて、前記所定の規格に対応しているか否かの結果または前記所定の規格に対応している場合の前記電圧値の大きさがわかるように、前記ＬＥＤの点灯または点滅を制御する制御部と、を備えた直流給電用コンセントである。
【００２７】
また、第２の本発明は、
前記所定の規格に対応しているとは、所定期間における前記入力される直流電流の電圧値の変動幅が所定の値以下のことである、第１の本発明の直流給電用コンセントである。
【００２８】
また、第３の本発明は、
前記制御部は、前記所定の規格に対応している場合には、前記入力される直流電流の電圧値に対応して、各電圧値に予め対応づけておいた前記ＬＥＤを点灯させ、前記所定の規格に対応していない場合には、少なくともいずれかの前記ＬＥＤを点滅させるように制御する、第１または第２の本発明の直流給電用コンセントである。
【００２９】
また、第４の本発明は、
前記制御部は、前記所定の規格に対応している場合には、前記入力される直流電流の電圧値に対応して、各電圧値に予め対応づけておいた前記ＬＥＤを赤色以外の色で点灯させ、前記所定の規格に対応していない場合には、少なくともいずれかの前記ＬＥＤを赤色で点灯または点滅させるように制御する、第１または第２の本発明の直流給電用コンセントである。
【００３０】
また、第５の本発明は、
前記プラグの栓刃が前記孔に嵌合したことを検出する接続検出部を備え、
前記複数のＬＥＤは、複数の前記孔に挟まれるまたは囲まれる領域に配置されており、
前記制御部は、前記接続検出部によって前記プラグの接続が検出されたときには、全ての前記ＬＥＤを消灯させるように制御する、第１〜第４のいずれかの本発明の直流給電用コンセントである。
【００３１】
また、第６の本発明は、
前記複数のＬＥＤは、複数の前記孔に挟まれるまたは囲まれる領域の外側であって、前記プラグの栓刃が前記孔に嵌合して接続されたときに外部から見える位置に配置されている、第１〜第４のいずれかの本発明の直流給電用コンセントである。
【００３２】
また、第７の本発明は、
温度を検出する温度検出部と、
前記入力部と前記孔に嵌合した前記栓刃との間の接続を電気的に遮断する接続遮断部とを備え、
前記温度検出部が所定の温度以上になったことを検出したとき、前記制御部は、前記接続遮断部によって前記入力部と前記栓刃との間の接続を遮断させる、第１〜第６のいずれかの本発明の直流給電用コンセントである。
【発明の効果】
【００３３】
本発明により、配線の誤接続を容易に確認できる直流給電用コンセントを提供できる。
【図面の簡単な説明】
【００３４】
【図１】本発明の実施の形態１の、電力給電システムの直流電流に関する部分の接続構成図
【図２】本発明の実施の形態１の、ＤＣ給電コンセントの内部構成図
【図３】（ａ）本発明の実施の形態１の、ＤＣ給電コンセントを前面から見た正面図、（ｂ）本発明の実施の形態１の、栓刃の先端側から見たＤＣプラグの正面図
【図４】（ａ）本発明の実施の形態１の、入力電圧が１２Ｖと判断されたときの各ＬＥＤの状態を示した図、（ｂ）本発明の実施の形態１の、入力電圧が２４Ｖと判断されたときの各ＬＥＤの状態を示した図、（ｃ）本発明の実施の形態１の、入力電圧が４８Ｖと判断されたときの各ＬＥＤの状態を示した図、（ｄ）本発明の実施の形態１の、入力電圧が４８Ｖを超える電圧と判断されたときの各ＬＥＤの状態を示した図、（ｅ）本発明の実施の形態１の、入力電圧が規定外の電圧変動のある入力と判断されたときの各ＬＥＤの状態を示した図
【図５】本発明の実施の形態１の、ＬＥＤ制御部の各ＬＥＤの点灯および点滅を制御する処理フローを示した図
【図６】（ａ）本発明の実施の形態１において、整流変圧器に直流が入力されたときの入力端子に入力される直流電流の電圧波形を示した図、（ｂ）本発明の実施の形態１において、整流変圧器に交流が入力されたときの入力端子に入力される直流電流の電圧波形を示した図
【図７】（ａ）本発明の実施の形態１の、入力電圧が１２Ｖと判断されたときの各ＬＥＤの状態を示した図、（ｂ）本発明の実施の形態１の、入力電圧が２４Ｖと判断されたときの各ＬＥＤの状態を示した図、（ｃ）本発明の実施の形態１の、入力電圧が４８Ｖと判断されたときの各ＬＥＤの状態を示した図、（ｄ）本発明の実施の形態１の、入力電圧が４８Ｖを超える電圧と判断されたときの各ＬＥＤの状態を示した図、（ｅ）本発明の実施の形態１の、入力電圧が規定外の電圧変動のある入力と判断されたときの各ＬＥＤの状態を示した図
【図８】（ａ）本発明の実施の形態１の、ＤＣ給電コンセントを前面から見た正面図、（ｂ）本発明の実施の形態１の、入力電圧が１２Ｖと判断されたときの各ＬＥＤの状態を示した図、（ｃ）本発明の実施の形態１の、入力電圧が２４Ｖと判断されたときの各ＬＥＤの状態を示した図、（ｄ）本発明の実施の形態１の、入力電圧が４８Ｖと判断されたときの各ＬＥＤの状態を示した図
【図９】（ａ）〜（ｃ）本発明の実施の形態１の、他の構成のＤＣ給電コンセントの正面図
【図１０】本発明の実施の形態２の、ＤＣ給電コンセントの内部構成図
【図１１】従来の家庭に供給される電力の流れを示す図
【図１２】配電盤から各コンセントへの接続を誤接続した場合の状態を説明するための図
【発明を実施するための形態】
【００３５】
以下、本発明の実施の形態について、図面を参照しながら説明する。
【００３６】
なお、前述したように、直流給電のための電圧値や端子の形状などの規格は、現在検討段階であるため、各実施の形態で説明する電圧値や端子の形状などはあくまで一例に過ぎない。
【００３７】
（実施の形態１）
図１に、本発明の実施の形態１の、電力給電システムの直流電流に関する接続構成図を示す。
【００３８】
本実施の形態１の電力給電システムは、図１２に示したように、現在使用されている交流と併用して直流給電される給電システムであるが、図１には、直流給電に関する部分のみを図示している。
【００３９】
現在一般に使用されている交流を給電するコンセントと同様に、ＤＣ給電コンセント１０が、前面部分が露出するように壁などに設置される。
【００４０】
ＤＣ給電コンセント１０の前面には、４つの栓刃挿入孔１１が配置されており、４つの栓刃挿入孔１１で囲まれる領域内に、４つのＬＥＤ１２が配置されている。
【００４１】
本実施の形態１の電力給電システムは、ＤＣ給電コンセント１０へ電力を供給する配線は、必ず整流変圧器１８を介して接続するものとする。
【００４２】
なお、ＤＣ給電コンセント１０が、本発明の直流給電コンセントの一例にあたり、栓刃挿入孔１１が、本発明の孔の一例にあたる。
【００４３】
整流変圧器１８には、家庭内で発電した電力を蓄電した蓄電池などの直流電源からの直流電流が入力される。
【００４４】
整流変圧器１８は、整流回路７０と降圧回路７１を備えており、入力された電流は、整流回路７０および降圧回路７１を経由してＤＣ出力端子１９から出力されるようになっている。
【００４５】
なお、整流回路７０が、本発明の整流器の一例にあたる。
【００４６】
ＤＣ電源から供給される電圧値がＤＣ給電コンセント１０に供給する電圧値と等しい場合には、降圧回路７１を設けなくてもよいが、ここでは、ＤＣ給電コンセント１０に供給する電圧値が３種類（１２Ｖ、２４Ｖ、４８Ｖ）あり、降圧回路７１によってこれらの３種類の電圧値を出力できる構成としている。なお、整流変圧器１８が出力する電圧値の方が、ＤＣ電源から入力される電圧値よりも大きい場合には、整流変圧器１８内部に昇圧回路が設けられ、昇圧してＤＣ出力端子１９から出力される。
【００４７】
ここでは、図１に示すＤＣ給電コンセント１０を「４８Ｖ出力用のコンセント」として使用するものとし、整流変圧器１８の４８Ｖの電圧値を出力するＤＣ出力端子１９をＤＣ配線１３によってＤＣ給電コンセント１０に接続する。
【００４８】
電化製品には、先端にＤＣプラグ１５が取り付けられたＤＣコード１７が接続され、ＤＣプラグ１５には、ＤＣ給電コンセント１０に差し込むための栓刃１６が設けられている。
【００４９】
図２に、ＤＣ給電コンセント１０の内部構成図を示す。
【００５０】
ＤＣプラグ１５の栓刃１６が栓刃挿入孔１１に挿入されたときに、栓刃１６が接触する位置に栓刃接続部２２が配置されており、このときに栓刃１６と電気的に確実に接続されるように、栓刃接続部２２は、例えば金属製のバネなどが用いられる。
【００５１】
ＤＣ給電コンセント１０の背面の、栓刃挿入孔１１および栓刃接続部２２に対応する位置に、入力端子２４が設けられており、ＤＣ配線１３が接続され、整流変圧器１８のＤＣ出力端子１９と電気的に接続される。
【００５２】
コンセントボックス１４内において、入力端子２４と栓刃接続部２２は接続されており、栓刃１６が栓刃挿入孔１１に挿入されると、栓刃１６が栓刃挿入孔１１および栓刃接続部２２に嵌合して、整流変圧器１８のＤＣ出力端子１９からの出力電流が、ＤＣプラグ１５およびＤＣコード１７を介して電化製品に供給される。
【００５３】
入力端子２４から入力される電源ラインには、入力電圧判断部２０が接続されており、入力電圧判断部２０は、入力端子２４に入力された直流電流が、所定の規格に対応した電流であるかの判断、およびその電圧値の大きさの判断をする。所定の規格およびその判断方法については後述する。
【００５４】
また、コンセントボックス１４内に、栓刃接続検出部２３およびＬＥＤ制御部２１を備えており、栓刃接続検出部２３は、栓刃挿入孔１１および栓刃接続部２２に栓刃１６が嵌合したかを検出する。
【００５５】
ＬＥＤ制御部２１は、入力電圧判断部２０の判断結果および栓刃接続検出部２３の検出結果に基づいて、ＬＥＤ１２の点灯および点滅を制御する。
【００５６】
なお、入力電圧判断部２０が、本発明の判断部の一例にあたり、ＬＥＤ制御部２１が、本発明の制御部の一例にあたる。また、栓刃接続検出部２３が、本発明の接続検出部の一例にあたり、入力端子２４が、本発明の入力部の一例にあたる。
【００５７】
また、本明細書では、「点灯」とは、消灯せずに発光し続けることを表し、「点滅」とは、所定の時間間隔で点灯と消灯を繰り返す、一般的に言う「点滅状態」を表すものとする。
【００５８】
次に、図３（ａ）に、ＤＣ給電コンセント１０を前面から見た正面図を、図３（ｂ）に、栓刃１６の先端側から見たＤＣプラグ１５の正面図をそれぞれ示す。
【００５９】
図３（ｂ）に示すように、ＤＣプラグ１５に設けられている４つの栓刃１６は、平板形状であり、栓刃１６の先端側から見て４つの栓刃で矩形を形成するように配置されている。また、所定以外の向きで栓刃挿入孔１１に挿入されるのを防止するために非対称に配置されている。
【００６０】
４つの栓刃１６は、それぞれ、＋用栓刃３５、−用栓刃３６、接地用栓刃３７およびガイド用栓刃３８としている。＋用栓刃３５には、直流電流の＋側が接続され、−用栓刃３６には、直流電流の−側が接続される。
【００６１】
図３（ａ）に示すように、ＤＣ給電コンセント１０の４つの栓刃挿入孔１１は、ＤＣプラグ１５の４つの栓刃１６に対応して嵌合する位置に形成されている。すなわち、＋用栓刃３５、−用栓刃３６、接地用栓刃３７およびガイド用栓刃３８が嵌合する位置に、＋栓刃受孔３０、−栓刃受孔３１、接地栓刃受孔３２およびガイド栓刃受孔３３が形成されている。＋栓刃受孔３０および−栓刃受孔３１に、＋用栓刃３５および−用栓刃３６が挿入されたときに、＋用栓刃３５および−用栓刃３６と接触する位置に設けられている栓刃接続部２２が、背面の入力端子２４と接続されている。
【００６２】
なお、＋栓刃受孔３０および−栓刃受孔３１が、本発明の、少なくとも２つの孔の一例にあたる。
【００６３】
ＤＣ給電コンセント１０の前面に配置された４つのＬＥＤ１２を、それぞれＬＥＤ４１、４２、４３、４４とする。４つのＬＥＤ４１〜４４は、図３（ａ）に示すように、横に並列するように配置されている。
【００６４】
また、図３（ａ）の符号３４で示す破線で囲んだ領域は、栓刃挿入孔１１にＤＣプラグ１５の栓刃１６を挿入した際に、ＤＣプラグ１５の外形によって見えなくなる領域を示している。つまりこの場合、４つのＬＥＤ４１〜４４は、ＤＣプラグ１５をＤＣ給電コンセント１０に差したときには、外部から見えなくなる位置に配置されている。
【００６５】
次に、ＬＥＤ制御部２１が４つのＬＥＤ４１〜４４の点灯および点滅を制御する動作について説明する。
【００６６】
図４は、入力端子２４から入力される直流電流に応じて点灯または点滅させる各ＬＥＤ４１〜４４の状態を示している。図４（ａ）は、入力電圧が１２Ｖと判断されたときの状態を、図４（ｂ）は、入力電圧が２４Ｖと判断されたときの状態を、図４（ｃ）は、入力電圧が４８Ｖと判断されたときの状態を、図４（ｄ）は、入力電圧が４８Ｖを超える電圧と判断されたときの状態を、図４（ｅ）は、入力電圧が規定外の電圧変動のある入力と判断されたときの状態を、それぞれ示している。
【００６７】
図５は、ＤＣプラグ１５がＤＣ給電コンセント１０に差し込まれていないときの、ＬＥＤ制御部２１の、ＬＥＤ４１〜４４の点灯および点滅を制御する処理フローを示している。
【００６８】
ＬＥＤ制御部２１は、栓刃接続検出部２３で「栓刃１６が嵌合している」とは検出されていないときには、次のようにＬＥＤ４１〜４４の点灯および点滅を制御する。
【００６９】
まず、入力電圧判断部２０によって、入力端子２４に入力される直流電流について「電圧変動が規定の範囲内であるか否か」が判断される（ステップＳ１０）。
【００７０】
ここで、入力電圧判断部２０が、入力端子２４に入力された直流電流の「電圧変動が規定の範囲外である」と判断するのは、整流変圧器１８の入力に、誤って交流電源（ＡＣ）からの交流電流が入力するように接続されている場合である。
【００７１】
図６（ａ）に、整流変圧器１８に直流（ＤＣ）が入力されたときの、ＤＣ給電コンセント１０の入力端子２４に入力される直流電流の電圧波形を、図６（ｂ）に、整流変圧器１８に交流（ＡＣ）が入力されたときの入力端子２４に入力される直流電流の電圧波形を、それぞれ示している。
【００７２】
整流変圧器１８に直流が入力されたときのＤＣ出力端子１９から出力される直流電流の電圧変動幅Ｖｃｗは、降圧回路７１のスイッチングによるリップルノイズによるものであり、図６（ａ）に示すように、出力電圧（４８Ｖ）に対して小さい変動幅である。
【００７３】
これに対し、整流変圧器１８に交流が入力されたときのＤＣ出力端子１９から出力される直流電流の電圧変動幅Ｖｃｗは、図６（ｂ）に示すように、出力電圧（４８Ｖ）に対して大きい変動幅となる。
【００７４】
入力電圧判断部２０に、図６（ｂ）の場合の電圧変動幅Ｖｃｗを規定の範囲外とするしきい値を予め設定しておき、入力端子２４に入力される直流電流の電圧変動幅をしきい値と比較させることにより、入力電圧判断部２０によって、整流変圧器１８に誤って交流が入力されたことを判断できる。
【００７５】
なお、このときに予め設定しておくしきい値が、本発明の所定の値の一例にあたる。つまりこの場合、入力端子２４に入力される直流電流の電圧変動幅がしきい値よりも小さいことが、本発明の「所定の規格に対応していること」である。
【００７６】
ステップＳ１０において、入力電圧判断部２０によって「電圧変動が規定の範囲内である」と判断されたときに、入力電圧判断部２０によって「入力された電圧値は１２Ｖである」と判断された場合（ステップＳ１１）には、ＬＥＤ制御部２１は、図４（ａ）に示すように、ＬＥＤ４２〜４４を消灯させたままＬＥＤ４１を点灯させるように制御する（ステップＳ１５）。
【００７７】
さらに、入力電圧判断部２０によって「入力された電圧値は２４Ｖである」と判断された場合（ステップＳ１２）には、ＬＥＤ制御部２１は、図４（ｂ）に示すように、ＬＥＤ４１、４３、４４を消灯させたままＬＥＤ４２を点灯させるように制御する（ステップＳ１６）。
【００７８】
さらに、入力電圧判断部２０によって「入力された電圧値は４８Ｖである」と判断された場合（ステップＳ１３）には、ＬＥＤ制御部２１は、図４（ｃ）に示すように、ＬＥＤ４１、４２、４４を消灯させたままＬＥＤ４３を点灯させるように制御する（ステップＳ１７）。
【００７９】
さらに、入力電圧判断部２０によって「入力された電圧値は４８Ｖを超える」と判断された場合（ステップＳ１３）には、ＬＥＤ制御部２１は、図４（ｄ）に示すように、ＬＥＤ４１〜４３を消灯させたままＬＥＤ４４を点灯させるように制御する（ステップＳ１８）。
【００８０】
そして、ステップＳ１０において、入力電圧判断部２０によって「電圧変動が規定の範囲内ではない」と判断された場合には、ＬＥＤ制御部２１は、図４（ｅ）に示すように、全てのＬＥＤ４１〜４４を点滅させるように制御する（ステップＳ１４）。
【００８１】
このようにＬＥＤ４１〜４４の点灯および点滅を制御することにより、整流変圧器１８に正しく直流電源が接続されている場合に、ＤＣ給電コンセント１０から供給される電圧値（１２Ｖ、２４Ｖ、４８Ｖ、４８Ｖ超）を容易に確認することができる。また、整流変圧器１８に誤って交流電源が接続されている場合には、電圧値を表示する場合とは異なり、より目立つように全ＬＥＤを点滅させるので、このときには容易に異常であることを視認できる。
【００８２】
このように制御することにより、整流変圧器１８に誤って交流電源が接続されている場合に、ＤＣ給電コンセント１０に計測器等を接続することなく、容易に異常を確認できる。また、専門の工事業者でなく一般の家庭ユーザにも、異常であることを確認できる。
【００８３】
なお、図３（ａ）に示すように、ＤＣプラグ１５がＤＣ給電コンセント１０に差されている状態では、ＬＥＤ４１〜４４は外部からは見えなくなるので、栓刃接続検出部２３によって栓刃１６が嵌合したことが検出されたときには、ＬＥＤ制御部２１は、全てのＬＥＤ４１〜４４を消灯させるように制御して、ＬＥＤの点灯に要する消費電力を削減する。そして、再度、栓刃接続検出部２３によって栓刃１６が嵌合していることが検出されなくなったときには、ＬＥＤ制御部２１は、そのときの入力端子２４に入力されている直流電流の状態に応じて図４（ａ）〜（ｅ）のように各ＬＥＤ４１〜４４を点灯または点滅させるように制御する。
【００８４】
なお、上記での「電圧値の判断」とは、予め決めておいたその電圧値の範囲内かどうかを判断するものである。例えば、予め「±２０％以内の電圧をその電圧値と判断する」こととしていた場合には、９．６Ｖ（１２Ｖ×８０％）以上１４．４Ｖ（１２Ｖ×１２０％）以下の電圧値の場合に「１２Ｖである」と判断される。
【００８５】
なお、整流変圧器１８に整流回路７０を設けているのは、整流変圧器１８に誤って交流電源が接続された場合でも、ＤＣ出力端子１９から交流電流が出力されないようにするためである。整流変圧器１８に誤って交流電源が接続された場合には、上記のようにＬＥＤ４１〜４４を点滅させることによって異常を知らせるが、それにも関わらずＤＣプラグ１５が接続された場合でも、このように整流回路７０を設けたことにより交流電流が電化製品に流れることはなく、そのＤＣプラグ１５に接続される電化製品が壊れるのを防止できる。本実施の形態１では、ＤＣ給電コンセント１０に接続する配線は、必ず整流変圧器１８からの出力を接続することとしているので、交流電源の誤接続による電化製品の破壊を確実に防止できる。
【００８６】
上記の図４および図５で説明したＬＥＤ４１〜４４の点灯および点滅動作は一例であり、入力される直流の電圧値の大きさおよび誤接続の状態を識別できるように表示できれば、これ以外のＬＥＤ４１〜４４の点灯および点滅方法であってもよい。
【００８７】
例えば、図４では、電圧値に対して各ＬＥＤ４１〜４４の点灯する位置を左から順に、１２Ｖ、２４Ｖ、４８Ｖに対応させることとしたが、右から順に、１２Ｖ、２４Ｖ、４８Ｖに対応させて各ＬＥＤ４１〜４４を点灯させるようにしてもよい。
【００８８】
また、図４の点灯と点滅の動作を入れ替えたような表示としてもよい。すなわち、図４（ａ）〜（ｄ）のように電圧値の大きさを表示する際に、ＬＥＤを点灯させるのではなく点滅させることとし、図４（ｅ）の誤接続を表示する際に、ＬＥＤを点滅させるのではなく全てのＬＥＤを点灯させるようにしてもよい。
【００８９】
図７に、入力端子２４から入力される直流電流に応じて点灯または点滅させる各ＬＥＤ４１〜４４の他の表示方法を示す。図７（ａ）は、入力電圧が１２Ｖと判断されたときの状態を、図７（ｂ）は、入力電圧が２４Ｖと判断されたときの状態を、図７（ｃ）は、入力電圧が４８Ｖと判断されたときの状態を、図７（ｄ）は、入力電圧が４８Ｖを超える電圧と判断されたときの状態を、図７（ｅ）は、入力電圧が規定外の電圧変動のある入力と判断されたときの状態を、それぞれ示している。
【００９０】
図７（ａ）の１２Ｖの電圧値を示す場合および図７（ｅ）の誤接続を表示する場合の表示は、図４（ａ）および図４（ｅ）に示した表示内容と同じであるが、２４Ｖ、４８Ｖ、４８Ｖを超える電圧値の場合の表示が、図４の場合と異なる。
【００９１】
この場合、入力電圧判断部２０によって「入力された電圧値は２４Ｖである」と判断された場合には、ＬＥＤ制御部２１は、図７（ｂ）に示すように、ＬＥＤ４３、４４を消灯させたままＬＥＤ４１と４２を同時に点灯させるように制御する。
【００９２】
同様に、入力電圧判断部２０によって「入力された電圧値は４８Ｖである」と判断された場合には、ＬＥＤ制御部２１は、図７（ｃ）に示すように、ＬＥＤ４４を消灯させたままＬＥＤ４１、４２、４３を同時に点灯させるように制御する。
【００９３】
さらに、入力電圧判断部２０によって「入力された電圧値は４８Ｖを超える」と判断された場合には、ＬＥＤ制御部２１は、図７（ｄ）に示すように、全てのＬＥＤ４１〜４４を同時に点灯させるように制御する。
【００９４】
このように、入力される直流の電圧値の大きさを点灯させるＬＥＤの個数に対応させて表示するので、図４の場合に比べて、遠くから見ても電圧値を認識し易い。
【００９５】
図８に、入力端子２４から入力される直流電流に応じて点灯させる各ＬＥＤ４１〜４４の他の表示方法を示す。
【００９６】
図８（ａ）は、ＤＣ給電コンセントを前面から見た正面図を示し、図８（ｂ）は、入力電圧が１２Ｖと判断されたときの状態を、図８（ｃ）は、入力電圧が２４Ｖと判断されたときの状態を、図８（ｄ）は、入力電圧が４８Ｖと判断されたときの状態を、それぞれ示している。
【００９７】
図８（ａ）に示すように、栓刃挿入孔および各ＬＥＤ４１〜４４の配置は、図３（ａ）と同様であるが、各ＬＥＤ４１〜４４の上部に、それぞれ「１」、「２」、「４」、「８」の刻印４５を付している。
【００９８】
そして、入力電圧判断部２０によって「入力された電圧値は１２Ｖである」と判断された場合には、ＬＥＤ制御部２１は、図８（ｂ）に示すように、ＬＥＤ４１と４２を同時に点灯させるように制御する。すなわち、「１」と「２」の刻印４５の下部の２つのＬＥＤを点灯させる。
【００９９】
入力電圧判断部２０によって「入力された電圧値は２４Ｖである」と判断された場合には、ＬＥＤ制御部２１は、図８（ｃ）に示すように、ＬＥＤ４２と４３を同時に点灯させるように制御する。すなわち、「２」と「４」の刻印４５の下部の２つのＬＥＤを点灯させる。
【０１００】
入力電圧判断部２０によって「入力された電圧値は４８Ｖである」と判断された場合には、ＬＥＤ制御部２１は、図８（ｄ）に示すように、ＬＥＤ４３と４４を同時に点灯させるように制御する。すなわち、「４」と「８」の刻印４５の下部の２つのＬＥＤを点灯させる。
【０１０１】
このように、各ＬＥＤ４１〜４４の点灯を制御することにより、点灯しているＬＥＤの上部の刻印４５で表される２桁の数字が電圧値を表しているので、一見して電圧の値まで知ることができる。
【０１０２】
なお、刻印４５は、ＤＣ給電コンセントの前面パネルに直接刻印されていてもよいし、これらの刻印４５を付したシールを、各ＬＥＤ４１〜４４の上部に貼り付けるようにしてもよい。
【０１０３】
また、ＬＥＤの点灯および点滅の状態だけで電圧値や誤接続を表示させるのではなく、発光させるＬＥＤの色を変えることにより、それらの状態を表示させるようにしてもよい。
【０１０４】
例えば、正常に接続されており電圧値の大きさを表示する際には、赤色以外の色、例えば黄色や緑色で各ＬＥＤを点灯または点滅させるようにし、誤接続を表示する際には、赤色で各ＬＥＤを点灯または点滅させるようにしてもよい。
【０１０５】
また、電圧値の大きさが異なる場合に、異なる色で表示させるようにしてもよい。
【０１０６】
また、図３（ａ）では４つのＬＥＤを横に並列させて配置する構成としたが、これは一例であって、ＬＥＤの数や配置などはこれ以外の構成であってもよい。ＬＥＤは、２個以上であれば、本発明を適用できる。
【０１０７】
また、栓刃および栓刃挿入孔の数や配置についても、図３は一例であり、これ以外の構成であってもよい。
【０１０８】
図９（ａ）〜（ｃ）  に、他の構成のＤＣ給電コンセントの正面図を示す。
【０１０９】
図９（ａ）および図９（ｃ）は、図３（ａ）に示した構成とはＬＥＤの配置の異なるＤＣ給電コンセントを示しており、図９（ｂ）は、栓刃挿入孔の数および配置の異なるＤＣ給電コンセントを示している。
【０１１０】
図９（ａ）のＤＣ給電コンセント５０は、４つのＬＥＤ５１〜５４が、２個ずつ２段に配置されている。
【０１１１】
ＤＣ給電コンセントは、少なくとも直流電流の＋電位と−電位を供給できればよいので、ＤＣプラグには、少なくとも２つ以上の栓刃があればよい。
【０１１２】
図９（ｂ）のＤＣ給電コンセント５５は、栓刃が２つの構成のＤＣプラグに対応する２つの栓刃、＋栓刃受孔５６および＋栓刃受孔５７が設けられている。そしてこれらの２つの＋栓刃受孔５６および＋栓刃受孔５７で挟まれる位置に、４つのＬＥＤ５８〜６１が、横に並列して配置されている。
【０１１３】
図９（ｃ）のＤＣ給電コンセント６５は、栓刃挿入孔３０〜３３の配置は図３（ａ）と同様であるが、ＬＥＤの配置が図３（ａ）とは異なる。
【０１１４】
図３（ａ）の構成では、４つのＬＥＤ４１〜４４を、ＤＣプラグを差した時に見えなくなる領域３４内に配置したのに対し、図９（ｃ）のＤＣ電源コンセント６５は、４つのＬＥＤ６６〜６９をＤＣプラグを差した時に見えなくなる領域３４の外側に配置している。
【０１１５】
したがって、ＤＣ給電コンセント６５の場合には、ＤＣプラグを差した状態でも４つのＬＥＤ６６〜６９が外部から見えるので、ＬＥＤ制御部２１は、栓刃接続検出部２３で栓刃が嵌合したことを検出した場合でも、各ＬＥＤ６６〜６９を消灯させないように制御してもよい。また、ＤＣ給電コンセント６５の内部回路の温度などを各ＬＥＤ６６〜６９の点灯や色を変化させて表示させるなど、ＤＣプラグ接続時の接続状態に関連する情報を各ＬＥＤ６６〜６９の発光状態によって明示させるようにしてもよい。
【０１１６】
（実施の形態２）
図１０に、本発明の実施の形態２のＤＣ給電コンセントの内部構成図を示す。図２に示したＤＣ給電コンセント１０と同じ構成部分には、同じ符号を用いている。
【０１１７】
本実施の形態２のＤＣ給電コンセント２５は、図２のＤＣ給電コンセント１０の構成に加えて、温度検出部２７、接続遮断部２８、および遮断スイッチ２９を備えている。
【０１１８】
本実施の形態２において、ＤＣ給電コンセント２５のＬＥＤ１２は、図９（ｃ）のＬＥＤ６６〜６９のように、ＤＣプラグを差した時に見えなくなる領域３４の外側に配置されているものとする。
【０１１９】
温度検出部２７は、内部回路の温度を検出する。
【０１２０】
遮断スイッチ２９は、入力端子２４と栓刃接続部２２間の電源ラインの接続を切断または接続するスイッチである。
【０１２１】
接続遮断部２８は、温度検出部２７によって所定温度以上の温度が検出された場合、遮断スイッチ２９によって入力端子２４と栓刃接続部２２間の電源ラインを遮断させるように制御する。
【０１２２】
温度検出部２７は、所定温度以上の温度が検出された場合には、ＬＥＤ制御部２６にも通知し、ＬＥＤ制御部２６は、ＬＥＤ６６〜６９の全てを消灯させる、または異常を通知するような点灯または点滅をするように制御する。
【０１２３】
このように制御することにより、ＤＣ給電コンセント２５の内部回路の温度が異常に高くなった場合に、「異常」と判断し、外部への直流電流の供給を遮断する。
【０１２４】
なお、温度検出部２７が、内部回路とは別に外部の温度も検出できるようにしておき、外部の温度と内部回路の温度との温度差が所定の温度差以上となった場合に、「異常」と判断するようにしてもよい。
【０１２５】
また、温度検出部２７に替えて、または温度検出部２７に加えて、地震センサーを備える構成とし、地震発生時に、遮断スイッチ２９によって、入力端子２４と栓刃接続部２２間の電源ラインを遮断させるようにしてもよい。
【０１２６】
なお、ＤＣプラグの栓刃が３つ以上の場合の例として、図３（ｂ）で、＋用栓刃３５と−用栓刃３６以外に、接地用栓刃３７とガイド用栓刃３８を設けることとしたが、これらに替えてまたはこれらに加えて他の用途の栓刃を備える構成としてもよい。
【０１２７】
例えば、通信用の栓刃や内部極性検知用のインターロック用途の栓刃を備えた構成としてもよい。
【０１２８】
また、各実施の形態において、ＤＣプラグの栓刃は平板形状として説明したが、円柱や角柱などの棒状の形状であっても本発明を適用できる。
【産業上の利用可能性】
【０１２９】
本発明に係る直流給電用コンセントは、配線の誤接続を容易に確認できる効果を有し、直流給電と交流給電を併用するような電力供給システムや直流電流を供給するための直流給電用コンセント等として有用である。
【符号の説明】
【０１３０】
１０、５０、５５、６５  ＤＣ給電コンセント
１１  栓刃挿入孔
１２  ＬＥＤ
１３  ＤＣ配線
１４  コンセントボックス
１５  ＤＣプラグ
１６  栓刃
１７  ＤＣコード
１８  整流変圧器
１９  ＤＣ出力端子
２０  入力電圧判断部
２１  ＬＥＤ制御部
２２  栓刃接続部
２３  栓刃接続検出部
２４  入力端子
２５  ＤＣ給電コンセント
２６  ＬＥＤ制御部
２７  温度検出部
２８  接続遮断部
２９  遮断スイッチ
３０  ＋栓刃受孔
３１  −栓刃受孔
３２  接地栓刃受孔
３３  ガイド栓刃受孔
３４  ＤＣプラグを差した時に見えなくなる領域
３５  ＋用栓刃
３６  −用栓刃
３７  接地用栓刃
３８  ガイド用栓刃
４１〜４４、５１〜５４、５８〜６１、６６〜６９  ＬＥＤ
４５  刻印
５６  ＋栓刃受孔
５７  −栓刃受孔
７０  整流回路
７１  降圧回路
１００  一般家庭
１０１  電力会社
１０２  整流装置
１０３  配電盤
１０４  ＡＣコンセント
１０５  ＡＣプラグ
１０６  電化製品
１０７  蓄電池
１０８  太陽光発電システム
１０９  燃料電池
１１０  配電盤
１１１  ＤＣコンセント
１１２  ＤＣプラグ
１１３  電化製品
【図２】
2012164567.tif 000003
【図３】
2012164567.tif 000004
【図４】
2012164567.tif 000005
【図５】
2012164567.tif 000006
【図６】
2012164567.tif 000007
【図７】
2012164567.tif 000008
【図８】
2012164567.tif 000009
【図９】
2012164567.tif 000010
【図１０】
2012164567.tif 000011
【図１２】
2012164567.tif 000012
【図１】
2012164567.tif 000013
【図１１】
2012164567.tif 000014